(57)【要約】      （修正有）【課題】外科医が手術するために、外科手術部位が実質的に照射される電気外科器具を提供すること。【解決手段】電気外科器具１０であって、遠位端および近位端を有するハウジング１０２；遠位端および近位端を有する発光ダイオードアダプタ４００であって、該発光ダイオードアダプタの近位端は、該ハウジングの遠位端と選択的に係合するように構成されており、該発光ダイオードアダプタは、内部に配置された少なくとも１つの発光ダイオード４１２ａ、４１２ｂを備え、該発光ダイオードは、電気外科エネルギー源への接続のために適合され、そして該アダプタから発光するために選択的に作動可能である、発光ダイオードアダプタ；ならびに少なくとも１つの電極であって、該発光ダイオードアダプタの遠位端に選択的に係合するように構成されており、そして該電気外科エネルギー源への接続のために適合されている、少なくとも１つの電極、を備える、電気外科器具。【選択図】図１
2009050705.tif 000002
【特許請求の範囲】
【請求項１】
電気外科器具であって、
遠位端および近位端を有するハウジング；
遠位端および近位端を有する発光ダイオードアダプタであって、該発光ダイオードアダプタの近位端は、該ハウジングの遠位端と選択的に係合するように構成されており、該発光ダイオードアダプタは、内部に配置された少なくとも１つの発光ダイオードを備え、該発光ダイオードは、電気外科エネルギー源への接続のために適合され、そして該アダプタから発光するために選択的に作動可能である、発光ダイオードアダプタ；ならびに
少なくとも１つの電極であって、該発光ダイオードアダプタの遠位端に選択的に係合するように構成されており、そして該電気外科エネルギー源への接続のために適合されている、少なくとも１つの電極、
を備える、電気外科器具。
【請求項２】
前記ハウジングが、前記電極を作動させる少なくとも１つのスイッチを備える、請求項１に記載の電気外科器具。
【請求項３】
前記スイッチが、前記発光ダイオードと前記電極とを同時に作動させる、請求項２に記載の電気外科器具。
【請求項４】
前記ハウジングが、前記発光ダイオードを作動させるための少なくとも１つのスイッチを備える、請求項１〜３のいずれか１項に記載の電気外科器具。
【請求項５】
前記発光ダイオードが、フットスイッチによって選択的に作動可能である、請求項１〜４のいずれか１項に記載の電気外科器具。
【請求項６】
前記発光ダイオードが、外科手術状態、器具の故障、器具の機能、および器具の状態のうちの少なくとも１つを示すための特定の色を発する、請求項１〜５のいずれか１項に記載の電気外科器具。
【請求項７】
前記発光ダイオードが、外科手術状態、器具の故障、器具の機能、および器具の状態のうちの少なくとも１つに関連する少なくとも１つの断続的なパターンを発する、請求項１〜６のいずれか１項に記載の電気外科器具。
【請求項８】
前記発光ダイオードが、少なくとも１つの断続的なパターンと少なくとも１つの色とを同時に発する、請求項１〜７のいずれか１項に記載の電気外科器具。
【請求項９】
前記発光ダイオードアダプタが、前記電極に選択的に係合するための機械的インターフェースを備える、請求項１〜８のいずれか１項に記載の電気外科器具。
【請求項１０】
前記電気外科器具が、電気外科ペンシル、電気外科メス、電気外科鉗子、および電気外科プローブからなる群より選択される、請求項１〜９のいずれか１項に記載の電気外科器具。
【請求項１１】
前記電極の遠位端が、ブレード電極、針電極、ボール電極、角度の付いたボール電極、ループ電極、および円錐切除電極からなる群より選択される形状を備えるように構成されている、請求項１〜１０のいずれか１項に記載の電気外科器具。
【請求項１２】
発光ダイオードアダプタであって、
遠位端および近位端を有するハウジング；
該発光ダイオードアダプタの遠位端に配置された少なくとも１つの発光ダイオードであって、該発光ダイオードは、電気外科エネルギー源への接続のために適合され、そして該発光ダイオードアダプタから発光するように選択的に作動可能である、少なくとも１つの発光ダイオード；
該発光ダイオードアダプタの遠位端に規定された開口部であって、組織を処置するために少なくとも１つの電極を受容するように構成されている、開口部；ならびに
機械的インターフェースであって、電気外科基部に選択的に係合するように構成されており、そして電気外科エネルギー源への接続のために適合されている、機械的インターフェース、
を備える、発光ダイオードアダプタ。
【請求項１３】
前記ハウジングが、前記電極および前記発光ダイオードのうちの少なくとも１つを作動させるための少なくとも１つのスイッチを備える、請求項１２に記載の発光ダイオードアダプタ。
【請求項１４】
前記発光ダイオードが、フットスイッチによって選択的に作動可能である、請求項１２または１３に記載の発光ダイオードアダプタ。
【請求項１５】
前記発光ダイオードが、外科手術状態、器具の故障、器具の機能、および器具の状態のうちの少なくとも１つを示すための特定の色を発する、請求項１２〜１４のいずれか１項に記載の発光ダイオードアダプタ。
【請求項１６】
前記発光ダイオードが、外科手術状態、器具の故障、器具の機能、および器具の状態のうちの少なくとも１つに関連する少なくとも１つの断続的なパターンを発する、請求項１２〜１５のいずれか１項に記載の発光ダイオードアダプタ。
【請求項１７】
前記発光ダイオードが、少なくとも１つの断続的なパターンと少なくとも１つの色とを同時に発する、請求項１２〜１６のいずれか１項に記載の発光ダイオードアダプタ。
【請求項１８】
前記電気外科器具が、電気外科ペンシル、電気外科メス、電気外科鉗子、および電気外科プローブからなる群より選択される、請求項１２〜１７のいずれか１項に記載の発光ダイオードアダプタ。
【請求項１９】
前記電極の遠位端が、ブレード電極、針電極、ボール電極、角度の付いたボール電極、ループ電極、および円錐切除電極からなる群より選択される形状を備えるように構成されている、請求項１２〜１８のいずれか１項に記載の発光ダイオードアダプタ。
【請求項２０】
電気外科システムであって、
電気外科発電機；ならびに
該電気外科発電機に選択的に接続可能な電気外科器具であって、該電気外科器具は、
遠位端および近位端を有するハウジング；
遠位端および近位端を有する発光ダイオードアダプタであって、該発光ダイオードアダプタの近位端は、該ハウジングの遠位端に選択的に係合するように構成されており、該発光ダイオードアダプタは、内部に配置された少なくとも１つの発光ダイオードを備え、該発光ダイオードは、電気外科エネルギー源への接続のために適合されており、そして該アダプタから発光するために選択的に作動可能である、発光ダイオードアダプタ；および
少なくとも１つの電極であって、該発光ダイオードアダプタの遠位端に選択的に係合するように構成され、そして該電気外科エネルギー源への接続のために適合されている、少なくとも１つの電極、
を備える、電気外科器具、
を備える、電気外科システム。
【発明の詳細な説明】
【技術分野】
【０００１】
本開示は、一般に、電気外科器具に関し、そしてより特定すると、発光ダイオード（ＬＥＤ）アダプタを備える電気外科器具に関する。
【背景技術】
【０００２】
電気外科器具は、近年、外科医によって広く使用されるようになっている。従って、取り扱いが容易であり、信頼性が高く、そして手術環境において安全である設備および器具に対する必要性が生じている。全般的に、ほとんどの電気外科器具は、無線周波数（ＲＦ）の電気エネルギーまたは電気外科エネルギーを組織部位に移動させる、手に持つ器具（例えば、電気外科ペンシル）である。電気外科エネルギーは、患者の下に位置するリターン電極パッドを介して（すなわち、単極システム構成）、または身体に接触してかもしくは外科手術部位にすぐ隣接して配置可能な小さいリターン電極を介して（すなわち、双極システム構成）、電気外科源に戻される。ＲＦ源によって生成される波形は、電気外科切開および高周波療法として一般的に公知である、所定の電気外科効果を生じる。
【０００３】
本明細書中で使用される場合、用語「電気外科ペンシル」は、作動電極に取り付けられ、そして組織を焼灼、凝固および／または切断するために使用される、ハンドピースを有する器具を含むことが意図される。代表的に、電気外科ペンシルは、ハンドスイッチまたはフットスイッチによって作動され得る。作動電極とは、通常は細長く、そして尖った遠位端または丸い遠位端を有する薄い平坦なブレードの形態であり得る、導電性要素である。あるいは、作動電極は、平坦な遠位端、丸い遠位端、尖った遠位端、または傾斜した遠位端を有する、中実または中空の細長い狭い円柱形の針を備え得る。代表的に、この種の電極は、当該分野において、「ブレード」電極、「ループ」電極、「スネア」電極、「針」電極、または「ボール」電極として公知である。
【０００４】
電気外科手術は、手術組織部位への無線周波数エネルギーの制御された印加を必要とするので、外科医が手術するために、外科手術部位が実質的に照射されることが重要である。種々の電気外科器具および種々の型の電極に起因して、外科医が器具に光源を単に追加することは、困難である。
【発明の開示】
【課題を解決するための手段】
【０００５】
本発明は、例えば、以下を提供する：
（項目Ａ１）
電気外科器具であって、
遠位端および近位端を有するハウジング；
遠位端および近位端を有する発光ダイオードアダプタであって、該発光ダイオードアダプタの近位端は、該ハウジングの遠位端と選択的に係合するように構成されており、該発光ダイオードアダプタは、内部に配置された少なくとも１つの発光ダイオードを備え、該発光ダイオードは、電気外科エネルギー源への接続のために適合され、そして該アダプタから発光するために選択的に作動可能である、発光ダイオードアダプタ；ならびに
少なくとも１つの電極であって、該発光ダイオードアダプタの遠位端に選択的に係合するように構成されており、そして該電気外科エネルギー源への接続のために適合されている、少なくとも１つの電極、
を備える、電気外科器具。
（項目Ａ２）
上記ハウジングが、上記電極を作動させる少なくとも１つのスイッチを備える、項目Ａ１に記載の電気外科器具。
（項目Ａ３）
上記スイッチが、上記発光ダイオードと上記電極とを同時に作動させる、項目Ａ２に記載の電気外科器具。
（項目Ａ４）
上記ハウジングが、上記発光ダイオードを作動させるための少なくとも１つのスイッチを備える、項目Ａ１〜Ａ３のいずれか１項に記載の電気外科器具。
（項目Ａ５）
上記発光ダイオードが、フットスイッチによって選択的に作動可能である、項目Ａ１〜Ａ４のいずれか１項に記載の電気外科器具。
（項目Ａ６）
上記発光ダイオードが、外科手術状態、器具の故障、器具の機能、および器具の状態のうちの少なくとも１つを示すための特定の色を発する、項目Ａ１〜Ａ５のいずれか１項に記載の電気外科器具。
（項目Ａ７）
上記発光ダイオードが、外科手術状態、器具の故障、器具の機能、および器具の状態のうちの少なくとも１つに関連する少なくとも１つの断続的なパターンを発する、項目Ａ１〜Ａ６のいずれか１項に記載の電気外科器具。
（項目Ａ８）
上記発光ダイオードが、少なくとも１つの断続的なパターンと少なくとも１つの色とを同時に発する、項目Ａ１〜Ａ７のいずれか１項に記載の電気外科器具。
（項目Ａ９）
上記発光ダイオードアダプタが、上記電極に選択的に係合するための機械的インターフェースを備える、項目Ａ１〜Ａ８のいずれか１項に記載の電気外科器具。
（項目Ａ１０）
上記電気外科器具が、電気外科ペンシル、電気外科メス、電気外科鉗子、および電気外科プローブからなる群より選択される、項目Ａ１〜Ａ９のいずれか１項に記載の電気外科器具。
（項目Ａ１１）
上記電極の遠位端が、ブレード電極、針電極、ボール電極、角度の付いたボール電極、ループ電極、および円錐切除電極からなる群より選択される形状を備えるように構成されている、項目Ａ１〜Ａ１０のいずれか１項に記載の電気外科器具。
（項目Ａ１２）
発光ダイオードアダプタであって、
遠位端および近位端を有するハウジング；
該発光ダイオードアダプタの遠位端に配置された少なくとも１つの発光ダイオードであって、該発光ダイオードは、電気外科エネルギー源への接続のために適合され、そして該発光ダイオードアダプタから発光するように選択的に作動可能である、少なくとも１つの発光ダイオード；
該発光ダイオードアダプタの遠位端に規定された開口部であって、組織を処置するために少なくとも１つの電極を受容するように構成されている、開口部；ならびに
機械的インターフェースであって、電気外科基部に選択的に係合するように構成されており、そして電気外科エネルギー源への接続のために適合されている、機械的インターフェース、
を備える、発光ダイオードアダプタ。
（項目Ａ１３）
上記ハウジングが、上記電極および上記発光ダイオードのうちの少なくとも１つを作動させるための少なくとも１つのスイッチを備える、項目Ａ１２に記載の発光ダイオードアダプタ。
（項目Ａ１４）
上記発光ダイオードが、フットスイッチによって選択的に作動可能である、項目Ａ１２またはＡ１３に記載の発光ダイオードアダプタ。
（項目Ａ１５）
上記発光ダイオードが、外科手術状態、器具の故障、器具の機能、および器具の状態のうちの少なくとも１つを示すための特定の色を発する、項目Ａ１２〜Ａ１４のいずれか１項に記載の発光ダイオードアダプタ。
（項目Ａ１６）
上記発光ダイオードが、外科手術状態、器具の故障、器具の機能、および器具の状態のうちの少なくとも１つに関連する少なくとも１つの断続的なパターンを発する、項目Ａ１２〜Ａ１５のいずれか１項に記載の発光ダイオードアダプタ。
（項目Ａ１７）
上記発光ダイオードが、少なくとも１つの断続的なパターンと少なくとも１つの色とを同時に発する、項目Ａ１２〜Ａ１６のいずれか１項に記載の発光ダイオードアダプタ。
（項目Ａ１８）
上記電気外科器具が、電気外科ペンシル、電気外科メス、電気外科鉗子、および電気外科プローブからなる群より選択される、項目Ａ１２〜Ａ１７のいずれか１項に記載の発光ダイオードアダプタ。
（項目Ａ１９）
上記電極の遠位端が、ブレード電極、針電極、ボール電極、角度の付いたボール電極、ループ電極、および円錐切除電極からなる群より選択される形状を備えるように構成されている、項目Ａ１２〜Ａ１８のいずれか１項に記載の発光ダイオードアダプタ。
（項目Ａ２０）
電気外科システムであって、
電気外科発電機；ならびに
該電気外科発電機に選択的に接続可能な電気外科器具であって、該電気外科器具は、
遠位端および近位端を有するハウジング；
遠位端および近位端を有する発光ダイオードアダプタであって、該発光ダイオードアダプタの近位端は、該ハウジングの遠位端に選択的に係合するように構成されており、該発光ダイオードアダプタは、内部に配置された少なくとも１つの発光ダイオードを備え、該発光ダイオードは、電気外科エネルギー源への接続のために適合されており、そして該アダプタから発光するために選択的に作動可能である、発光ダイオードアダプタ；および
少なくとも１つの電極であって、該発光ダイオードアダプタの遠位端に選択的に係合するように構成され、そして該電気外科エネルギー源への接続のために適合されている、少なくとも１つの電極、
を備える、電気外科器具、
を備える、電気外科システム。
【０００６】
（項目Ｂ１）
電気外科器具であって、
遠位端および近位端を有するハウジング；
遠位端および近位端を有する発光ダイオードアダプタであって、該発光ダイオードアダプタの近位端は、該ハウジングの遠位端と選択的に係合するように構成されており、該発光ダイオードアダプタは、内部に配置された少なくとも１つの発光ダイオードを備え、該発光ダイオードは、電気外科エネルギー源への接続のために適合され、そして該アダプタから発光するために選択的に作動可能である、発光ダイオードアダプタ；ならびに
少なくとも１つの電極であって、該発光ダイオードアダプタの遠位端に選択的に係合するように構成されており、そして該電気外科エネルギー源への接続のために適合されている、少なくとも１つの電極、
を備える、電気外科器具。
【０００７】
（項目Ｂ２）
上記ハウジングが、上記電極を作動させる少なくとも１つのスイッチを備える、項目Ｂ１に記載の電気外科器具。
【０００８】
（項目Ｂ３）
上記スイッチが、上記発光ダイオードと上記電極とを同時に作動させる、項目Ｂ２に記載の電気外科器具。
【０００９】
（項目Ｂ４）
上記ハウジングが、上記発光ダイオードを作動させるための少なくとも１つのスイッチを備える、項目Ｂ１に記載の電気外科器具。
【００１０】
（項目Ｂ５）
上記発光ダイオードが、フットスイッチによって選択的に作動可能である、項目Ｂ１に記載の電気外科器具。
【００１１】
（項目Ｂ６）
上記発光ダイオードが、外科手術状態に関連する少なくとも１つの色を発する、項目Ｂ１に記載の電気外科器具。
【００１２】
（項目Ｂ７）
上記発光ダイオードが、上記電気外科器具の作動状態に関連する少なくとも１つの色を発する、項目Ｂ１に記載の電気外科器具。
【００１３】
（項目Ｂ８）
上記発光ダイオードが、器具の故障を示す特定の色を発する、項目Ｂ７に記載の電気外科器具。
【００１４】
（項目Ｂ９）
上記発光ダイオードが、器具の機能を示す特定の色を発する、項目Ｂ７に記載の電気外科器具。
【００１５】
（項目Ｂ１０）
上記発光ダイオードが、外科手術処置の完了を示す特定の色を発する、項目Ｂ７に記載の電気外科器具。
【００１６】
（項目Ｂ１１）
上記発光ダイオードが、上記器具の作動状態に関する少なくとも１つの断続的なパターンを発する、項目Ｂ１に記載の電気外科器具。
【００１７】
（項目Ｂ１２）
上記発光ダイオードが、器具の故障を示す少なくとも１つの断続的なパターンを発する、項目Ｂ１１に記載の電気外科器具。
【００１８】
（項目Ｂ１３）
上記発光ダイオードが、少なくとも１つの断続的なパターンと少なくとも１つの色とを同時に発する、項目Ｂ１に記載の電気外科器具。
【００１９】
（項目Ｂ１４）
上記発光ダイオードアダプタが、上記電極に選択的に係合するための機械的インターフェースを備える、項目Ｂ１に記載の電気外科器具。
【００２０】
（項目Ｂ１５）
上記電気外科器具が、電気外科ペンシル、電気外科メス、電気外科鉗子、および電気外科プローブからなる群より選択される、項目Ｂ１に記載の電気外科器具。
【００２１】
（項目Ｂ１６）
上記電極の遠位端が、ブレード電極、針電極、ボール電極、角度の付いたボール電極、ループ電極、および円錐切除電極からなる群より選択される形状を備えるように構成されている、項目Ｂ１に記載の電気外科器具。
【００２２】
（項目Ｂ１７）
電気外科器具であって、
遠位端および近位端を有するハウジング；
遠位端および近位端を有する発光ダイオードアダプタであって、該発光ダイオードアダプタの近位端は、該ハウジングの遠位端に選択的に係合するように構成されており、該発光ダイオードアダプタは、内部に配置された少なくとも１つの発光ダイオードを備え、該発光ダイオードは、電気外科エネルギー源への接続のために適合され、そして該発光ダイオードアダプタから発光するように選択的に作動可能である、発光ダイオードアダプタ；
少なくとも１つの電極であって、該発光ダイオードアダプタの遠位端に選択的に係合するように構成され、そして該電気外科エネルギー源への接続のために適合されている、少なくとも１つの電極；ならびに
少なくとも１つのスイッチであって、該発光ダイオードおよび該電極のうちの少なくとも一方を選択的に作動させる、少なくとも１つのスイッチ、
を備える、電気外科器具。
【００２３】
（項目Ｂ１８）
上記発光ダイオードが、外科手術状態、器具の故障、器具の機能および器具の状態のうちの少なくとも１つに関する少なくとも１つの色を発する、項目Ｂ１７に記載の電気外科器具。
【００２４】
（項目Ｂ２２）
上記発光ダイオードが、外科手術状態、器具の故障、器具の機能、および器具の状態のうちの少なくとも１つに関する少なくとも１つの断続的なパターンを発する、項目Ｂ１７に記載の電気外科器具。
【００２５】
（項目Ｂ２３）
上記器具が、電気外科ペンシル、電気外科メス、電気外科鉗子、および電気外科プローブからなる群より選択される、項目Ｂ１７に記載の電気外科器具。
【００２６】
（項目Ｂ２４）
上記電極の遠位端が、ブレード電極、針電極、ボール電極、角度の付いたボール電極、ループ電極、および円錐切除電極からなる群より選択される形状を備えるように構成されている、項目Ｂ１７に記載の電気外科器具。
【００２７】
（項目Ｂ２５）
発光ダイオードアダプタであって、
遠位端および近位端を有するハウジング；
該発光ダイオードアダプタの遠位端に配置された少なくとも１つの発光ダイオードであって、該発光ダイオードは、電気外科エネルギー源への接続のために適合され、そして該発光ダイオードアダプタから発光するように選択的に作動可能である、少なくとも１つの発光ダイオード；
該発光ダイオードアダプタの遠位端に規定された開口部であって、組織を処置するために少なくとも１つの電極を受容するように構成されている、開口部；ならびに
機械的インターフェースであって、電気外科基部に選択的に係合するように構成されており、そして電気外科エネルギー源への接続のために適合されている、機械的インターフェース、
を備える、発光ダイオードアダプタ。
【００２８】
（項目Ｂ２６）
電気外科システムであって、
電気外科発電機；ならびに
該電気外科発電機に選択的に接続可能な電気外科器具であって、該電気外科器具は、
遠位端および近位端を有するハウジング；
遠位端および近位端を有する発光ダイオードアダプタであって、該発光ダイオードアダプタの近位端は、該ハウジングの遠位端に選択的に係合するように構成されており、該発光ダイオードアダプタは、内部に配置された少なくとも１つの発光ダイオードを備え、該発光ダイオードは、電気外科エネルギー源への接続のために適合されており、そして該アダプタから発光するために選択的に作動可能である、発光ダイオードアダプタ；および
少なくとも１つの電極であって、該発光ダイオードアダプタの遠位端に選択的に係合するように構成され、そして該電気外科エネルギー源への接続のために適合されている、少なくとも１つの電極、
を備える、電気外科器具、
を備える、電気外科システム。
【００２９】
（摘要）
本開示は、電気外科器具を含み、この電気外科器具は、遠位端および近位端を有するハウジングをさらに備える。この電気外科器具はまた、遠位端および近位端を有する発光ダイオードアダプタを備え、この発光ダイオードアダプタの近位端は、このハウジングの遠位端と選択的に係合するように構成されている。この発光ダイオードアダプタはまた、内部に配置された少なくとも１つの発光ダイオードを備える。この発光ダイオードは、電気外科エネルギー源への接続のために適合され、そしてこのアダプタから発光するために選択的に作動可能である。少なくとも１つの電極が、この発光ダイオードアダプタの遠位端と選択的に係合するように構成され、そしてこの電気外科エネルギー源への接続のために適合される。
【００３０】
（要旨）
本開示は、遠位端および近位端を有するハウジングを備える、電気外科器具を含む。この電気外科器具はまた、遠位端および近位端を有する発光ダイオードアダプタを備え、この発光ダイオードアダプタの近位端は、このハウジングの遠位端に選択的に係合するように構成される。この発光ダイオードアダプタは、内部に配置された少なくとも１つの発光ダイオードを備える。この発光ダイオードは、電気外科エネルギー源への接続のために適合され、そしてこのアダプタから発光するために選択的に作動可能である。少なくとも１つの電極が、この発光ダイオードアダプタの遠位端に選択的に係合するように構成され、そしてこの電気外科エネルギー源への接続のために適合される。
【００３１】
本開示の別の実施形態は、遠位端および近位端を有するハウジングを備える電気外科器具を含む。この電気外科器具はまた、遠位端および近位端を有する発光ダイオードアダプタを備え、この発光ダイオードアダプタの近位端は、このハウジングの遠位端に選択的に係合するように構成される。この発光ダイオードアダプタは、内部に配置された少なくとも１つの発光ダイオードを備え、そしてこの発光ダイオードは、電気外科エネルギー源への接続のために適合される。この発光ダイオードは、この発光ダイオードアダプタから発光するように選択的に作動可能である。また、この電気外科器具は、発光ダイオードアダプタの遠位端に選択的に係合するように構成された、少なくとも１つの電極を備える。この電極は、電気外科エネルギー源への接続のために適合される。この電気外科器具はまた、発光ダイオードおよび電極のうちの少なくとも一方を選択的に作動させるための、少なくとも１つのスイッチを備える。
【００３２】
本開示のなお別の実施形態は、遠位端および近位端を有するハウジングを有する、発光ダイオードアダプタを含む。発光ダイオードは、この発光ダイオードアダプタの遠位端に配置される。この発光ダイオードは、電気外科エネルギー源に接続され、そしてこの発光ダイオードアダプタから発光するために選択的に作動可能である。開口部が、この発光ダイオードアダプタの遠位端に規定され、そして組織を処置するための電極を受容するように構成される。この発光ダイオードアダプタはまた、機械的インターフェースを備え、この機械的インターフェースは、電気外科器具と係合し、そして電気外科エネルギー源に接続されるように構成される。
【００３３】
本開示のなおさらに別の実施形態は、電気外科発電機を有する電気外科システムに関し、この電気外科発電機は、この電気外科発電機に選択的に接続可能な１つ以上の電気外科器具に電気外科エネルギーを供給するように適合される。この電気外科器具は、遠位端および近位端を有するハウジング、ならびに発光ダイオードアダプタを備える。この発光ダイオードアダプタは、遠位端および近位端を有し、そしてこのハウジングの遠位端に選択的に係合するように構成される。この発光ダイオードアダプタはまた、内部に配置された少なくとも１つの発光ダイオードを備え、そして電気外科エネルギー源に接続される。この発光ダイオードは、このアダプタから発光するように選択的に作動可能である。少なくとも１つの電極が、この発光ダイオードアダプタの遠位端に選択的に係合するように構成され、そして電気外科エネルギー源に接続される。
【発明を実施するための最良の形態】
【００３４】
本明細書に組み込まれ、本明細書の一部を構成する添付の図面は、本発明の実施形態を図示し、そして上に与えられた本発明の一般的な説明、および以下に与えられる実施形態の詳細な説明と一緒に、本発明の原理を説明する役に立つ。
【００３５】
（詳細な説明）
本開示の電気外科ペンシルの実施形態が、図面を参照しながら詳細に記載される。図面において、類似の参照番号は、類似の要素または同一の要素を識別する。本明細書中で使用される場合、用語「遠位」とは、使用者から遠い方の部分をいい、一方で、用語「近位」とは、使用者または外科医に近い方の部分をいう。
【００３６】
図１は、電気外科システム１０の斜視図を示し、この電気外科システムは、本開示の１つの実施形態に従って構成された電気外科ペンシル１００を備える。以下の説明は、電気外科ペンシルに関するが、本開示の特徴および概念（またはこれらの一部）は、任意の型の電気外科器具（例えば、鉗子、吸引凝固器、脈管シール、アプリケータ（ｗａｎｄ）など）に適用され得ることが予測される。
【００３７】
さらに、以下の説明は、発光ダイオード（ＬＥＤ）に関するが、本開示の特徴および概念（またはその一部）は、任意の適切な光源（例えば、光ファイバー照明、レーザー、赤外線、紫外線、蛍光灯、白熱電球、周囲光など）に適用され得ることが予測される。
【００３８】
図１に見られるように、電気外科ペンシル１００は、上半シェル部分１０２ａおよび下半シェル部分１０２ｂを有する細長ハウジング１０２を備える。ハウジング１０２は、その遠位端に規定された開口部１０３ａ、およびその近位端に規定された開口部１０３ｂを備える。電気焼灼ブレード１０６またはＬＥＤアダプタ４００が、以下でより詳細に説明されるように、遠位開口部１０３ａに選択的に係合可能である。
【００３９】
ケーブル２２４は、開口部１０３ｂを介して受容され、そして遠位端１０３ａにエネルギーを供給するための結合インターフェース３００に接続される。ケーブル２２４の近位端は、プラグ２００を備え、このプラグは、電気外科発電機「Ｇ」に作動可能に結合される。上半シェル部分１０２ａおよび下半シェル部分１０２ｂは、当業者に公知である方法（例えば、超音波エネルギー、接着剤、スナップばめアセンブリなど）を使用して、一緒に結合され得る。電気外科ペンシル１００および含まれる種々の構成要素の相互協働関係は、米国特許出願公開第２００６／０１７８６６７号により詳細に説明されており、この参考文献の全体は、本明細書中に参考として援用される。
【００４０】
電気外科システム１０は、遠位端４０６および近位端４０４を有する発光ダイオード（ＬＥＤ）アダプタをさらに備え、この近位端は、電気外科ペンシル１００の遠位端開口部１０３ａに選択的に係合するように構成される。ＬＥＤアダプタ４００は、結合インターフェース３００’を備え、この結合インターフェースは、ペンシル１００に関して上に記載された結合インターフェース３００と同様に、電極１０６に選択的に係合する。図３および図４は、以下により詳細に記載される連結インターフェース３００’を図示する。
【００４１】
ＬＥＤアダプタ４００は、少なくとも１つのＬＥＤ  ４１２ａを備え、このＬＥＤは、ＬＥＤアダプタ４００のハウジング４０２に配置される。ＬＥＤアダプタ４００は、電気外科エネルギー源（例えば、電気外科発電機「Ｇ」）への接続のために適合される。ＬＥＤアダプタ４００は、ペンシル１００上に配置された一連のスイッチ１２０ａ、１２０ｂおよび１２０ｃのうちの少なくとも１つが作動される場合に、光を発するように選択的に作動可能である。
【００４２】
図１および図２はまた、ＬＥＤアダプタ４００の遠位端に配置された複数のＬＥＤ４１２ａおよび４１２ｂを図示する。図２にもまた図示される、ＬＥＤアダプタ４００の構成要素はまた、図５に図示されるように、単一のＬＥＤ（例えば、ハウジング４０２の遠位端のＬＥＤ  ４１２ａ）を備え得る。
【００４３】
ここで図３を参照すると、結合インターフェース３００’は、ＬＥＤアダプタ４００に収容され得る。より具体的には、結合インターフェース３００’は、電極１０６の近位端１１０を内部に選択的に受容するための開口遠位端４０６ａを規定する。開口遠位端４０６ａは、一般に非円形の内部プロフィール４０５（例えば、楕円形、三角形、矩形、六角形、歯付き、多面体など）を規定して、内部での電極１０６の係合を容易にする。
【００４４】
より具体的には、電極１０６の近位端１１０は、電極１０６の遠位端１０８と近位端１１０との間に位置するカラー３１０によって支持される。図１に戻ると、カラー３１０は、ハウジング４０２の開口遠位端４０６ａの内部プロフィール４０５に相補的であるような構成および寸法にされた、成形された外側表面３１０ａを有する。１つの実施形態において、ハウジング４０２の開口遠位端４０６ａは、図３に示されるように、六角形の内部プロフィール４０５を規定し、そしてカラー３１０は、六角形の外側表面３１０ａを規定する。
【００４５】
ハウジング３０２の開口遠位端４０６ａの成形された内部プロフィール４０５は、プラスチックの射出成形、インサート成形、および／またはブローチ削り技術を使用して、形成され得る。
【００４６】
同じ様式で、ＬＥＤアダプタ４００の近位端４０４は、電気外科ペンシル１００の遠位開口部１０３ａに選択的に接続され得る。より具体的には、ＬＥＤアダプタ４００の近位端４０４は、電気外科ペンシル１００の開口遠位端１０３ａに選択的に係合可能な外形を有するプロフィールを備える。例えば、遠位端１０３ａは、非円形の内部プロフィール（図示せず）（例えば、楕円形、三角形、矩形、六角形、歯付き、多面体など）を規定する。上記のような実質的に類似の結合インターフェースは、米国特許出願公開第２００６／０１７８６６７号により詳細に説明されており、この参考文献の全体は、本明細書中に参考として援用される。
【００４７】
図３および図４に図示されるように、ＬＥＤアダプタ４００の近位端は、ＬＥＤアダプタ４００の遠位端４０６と近位端４０４との間に位置するカラー４１０を備える。カラー４１０は、開口遠位端１０３ａの内部プロフィール４０５と相補的な構成および寸法にされた、成形された外側表面４１０ａを有する。より具体的には、ＬＥＤアダプタ４００の近位端４０４は、ペンシル１００の遠位端１０３ｃに嵌合係合するプロフィールを備える。ＬＥＤアダプタ４００の近位端４０４およびカラー４１０ａは、電極１０６の近位端１１０およびカラー３１０と同じ形状および構成を備えることが予測される。理解され得るように、このことにより、外科医は、ＬＥＤアダプタ４００をペンシル１００の遠位端１０３ａに迅速かつ容易に交換することが可能であり、そして電極１０６をＬＥＤアダプタ４００に再係合させることが可能である。１つの実施形態において、ハウジング１０２の開口遠位端１０３ａは、六角形のプロフィールを有する結合インターフェース３００を備え、そしてカラー４１０は、インターフェース３００と嵌合する六角形の外側表面４１０ａを規定する。
【００４８】
ここで図４を参照すると、ＬＥＤアダプタ４００は、スタビライザ３２０を備え、このスタビライザは、ハウジング４０２への電気焼灼ブレード１０６の接続における機械的あそびを排除するために、それぞれのハウジング４０２内に配置される。スタビライザ３２０は、ハウジング４０２内での近位端１１０の保持力を改善するように機能し、そして代表的に、ハウジング４０２の遠位端の近くに提供される電気焼灼ブレードマウント３２２および結合インターフェース３００’の近くに配置される。
【００４９】
電極１０６、ＬＥＤアダプタ４００および電気外科ペンシル１００は、選択的に電気的に接続されて、電気外科発電機「Ｇ」から供給されるＲＦエネルギーをＬＥＤアダプタ４００に運び、さらに、電極１０６に運ぶ。
【００５０】
電極１０６は、組織を処置するために、ＬＥＤアダプタ４００の遠位端４０６に選択的に係合するように構成される。ＬＥＤは、次に、電気外科ペンシル１００の遠位端に選択的に係合するように構成され、この電気外科ペンシルは、次に、プラグ２００を介して電気外科発電機「Ｇ」に接続されるように適合される。プラグ２００は、ハウジング部分２０２、制御器端末２１５、および接続ワイヤ２２４を備え、この接続ワイヤは、ハウジング部分２０２と制御器端末２１５とを電気的に相互接続する。ハウジング部分２０２は、普通の電力ピン２０４およびこれらの間の複数の電気接点２０６を保持するように構成および適合される。プラグアセンブリ２００およびその構成要素は、米国特許出願公開第２００６／０１７８６６７号により詳細に説明されており、この参考文献の全体は、本明細書中に参考として援用される。
【００５１】
電気外科ペンシル１００は、少なくとも１つの作動スイッチ１２０ａ〜１２０ｃを備え、これらの作動スイッチの各々は、ハウジング１０２の上半シェル部分１０２ａを通って延びる。各作動スイッチ１２０ａ〜１２０ｃは、スイッチプレート１２４に提供されたそれぞれの触覚要素１２２ａ〜１２２ｃ（図において、スナップドームスイッチとして図示される）上に作動的に支持される。各作動スイッチ１２０ａ〜１２０ｃは、発電機「Ｇ」からＬＥＤアダプタ４００に供給されるＲＦ電気エネルギーの特定の量を制御し、このＬＥＤアダプタは、次に、電気外科ブレード１０６にエネルギーを供給する。
【００５２】
図１および図２の全体に見られるように、電気外科ペンシル１００は、ハウジング１０２の表面または内部にスライド可能に支持された強度制御器１２８をさらに備える。強度制御器１２８は、１対のナブ１２９ａ、１２９ｂを備え、これらのナブは、ハウジング１０２ａの上半シェル部分に形成されたそれぞれのガイドチャネル１３０ａ、１３０ｂに１つずつスライド可能に支持される。ガイドチャネル１３０ａ、１３０ｂは、（つづり）作動スイッチ１２０ａ〜１２０ｃの両側に形成される。ナブ１２９ａ、１２９ｂを作動スイッチ１２０ａ〜１２０ｃの両側に提供することによって、強度制御器１２８は、使用者のいずれの手によっても容易に操作され得、または同じ電気外科ペンシルが、右利きの使用者によっても左利きの使用者によっても操作され得る。
【００５３】
スイッチ１２０ａ〜１２０ｃのうちのいずれか１つ、および強度制御器１２８は、ＬＥＤアダプタ４００の遠位端４０６および／または電極１０６に配置されたＬＥＤ  ４１２ａ、４１２ｂを選択的に作動させるために利用され得ることが予測される。使用の際に、外科医が上記スイッチ１２０ａ〜１２０ｃのうちのいずれか１つを作動させる場合、ＬＥＤ  ４１２ａおよび４１２ｂは、ＬＥＤアダプタ４００で点灯し得る。あるいは、別のスイッチが、電気外科ペンシル１００および／またはＬＥＤアダプタ４００に設置されるように構成され得る。別の実施形態において、ＬＥＤアダプタ４００は、独立した電力開閉器を有し得、この電力開閉器は、ＬＥＤ  ４１２ａおよび４１２ｂが選択的に点灯し得るように、ＬＥＤアダプタに単に電力を供給する。
【００５４】
操作の際に、所望の特定の電気外科機能に依存して、外科医は、作動スイッチ１２０ａ〜１２０ｃのうちの１つを押下し、これによって、それぞれの特徴的な信号を電気外科発電機「Ｇ」に伝達する。例えば、外科医は、作動スイッチ１２０ａを押下して、切断機能および／または「解剖」機能を実施し得るか、あるいは作動スイッチ１２０ｂを押下して、「ブレンド」機能を実施し得るか、あるいは作動スイッチ１２０ｃを押下して、「止血」機能を実施し得る。次に、発電機「Ｇ」は、適切な波形出力をＬＥＤアダプタ４００に伝達し、このＬＥＤアダプタは、ハウジング４０２内に収容される内部ＲＦライン（図示せず）を介して、適切な波形を電気焼灼ブレード１０６にさらに伝達する。
【００５５】
電気外科ペンシル１００は、ＬＥＤ  ４１２ａ、４１２ｂ、および電極１０６を同時に作動させるスイッチ（このスイッチは、スイッチ１２０ａ〜１２０ｃのいずれかであり得る）を備え得ることが予測される。ＬＥＤ  ４１２ａ、４１２ｂおよび／または電極はまた、フットスイッチ１５０によって作動され得ることもまた予測される。
【００５６】
図６に図示されるように、ＬＥＤアダプタ４００（これは、ＬＥＤ  ４１４および４１６を備える）は、外科手術状態に関連する少なくとも１つの色（例えば、赤色、青色、または任意の適切な色）を発するように構成され得る。さらに、ＬＥＤ  ４１４および４１６は、個々にそして／またはこれらの組み合わせとして、電気外科器具１００の作動状態に依存する特定の色を発し得る。さらに、ＬＥＤ  ４１４および４１６は、個々にそして／またはこれらの組合せとして、器具が故障したことを示す目的で色を発し得る。なおさらに、ＬＥＤアダプタ４００は、特定の機能および／または処置の完了を示すために適切な色をＬＥＤ  ４１４および４１６に表示させるように構成され得る。
【００５７】
図７に図示されるように、ＬＥＤアダプタ４００は、ＬＥＤ  ４１８および４２０に、電気外科ペンシル１００の作動状態に関する少なくとも１つの断続的なパターンを発させるように構成され得ることもまた予測される。例えば、外科医が外科手術手順を実施している場合、またはこの手順の終了の際に、ＬＥＤ  ４１８および／または４２０は、特定の手順が終了したことを外科医に示すような様式で、断続的なパターン（例えば、点滅）を表示し得る。
【００５８】
ＬＥＤアダプタ４００は、ＬＥＤ  ４１８および／または４２０に、電気外科ペンシル１００が器具の故障を検出した場合に断続的なパターンを表示させるように構成され得ることもまた予測される。例えば、ＬＥＤアダプタは、ＬＥＤ  ４１８が緑色を表示し得、また断続的なパターンを表示し得、外科手術用器具１００が作動の準備ができたことを示すように構成され得る。あるいは、ＬＥＤアダプタは、赤色を表示し、そして／または断続的なパターンを表示して、外科手術用器具システム１０に故障が存在すること、および／または特定の手術手順が終了したかもしくは終了されるべきであることを示すように構成され得る。
【００５９】
ＬＥＤアダプタ４００は、１つのＬＥＤに「白色」光または外科手術領域を照射するために適切な色の光を表示させ、そして他のＬＥＤのうちのいずれかにインジケータ光の色（例えば、赤、緑、黄）または特定の状況もしくは事象のために適切な任意の色を表示させるように構成され得ることもまた予測される。この様式で、指標ＬＥＤと照射ＬＥＤとの両方が、同じＬＥＤアダプタ４００に存在する。
【００６０】
図８〜図１３に図示されるように、電極１０６の遠位端１０８は、異なる型の外科手術手順のための異なる形状（例えば、ブレード電極１０８ａ、針電極１０８ｂ、ボール電極１０８ｃ、角度の付いたボール電極１０８ｄ、ループ電極１０８ｅ、および円錐切除電極１０８ｆ）を備えるように構成され得る。
【００６１】
電気焼灼ブレード１０６は、伝導性の型の材料（例えば、ステンレス鋼）から製造され得るか、または導電性材料でコーティングされ得ることが企図される。
【００６２】
本発明の装置は、種々の実施形態に関して記載されたが、本発明の趣旨および範囲から逸脱することなく本発明の装置に対して変更および改変がなされ得ることが、本発明が属する分野の当業者に容易に明らかである。
【図面の簡単な説明】
【００６３】
【図１】図１は、本開示の１つの実施形態による、電極、ＬＥＤアダプタ、および電気外科ペンシルを備える電気外科システムの斜視図である。
【図２】図２は、本開示による作動のために接続された電極、ＬＥＤアダプタ、および電気外科ペンシルを示す、図１の電気外科システムの斜視図である。
【図３】図３は、本開示の１つの実施形態によるＬＥＤアダプタの遠位端の部分内部斜視図である。
【図４】図４は、本開示の図３の実施形態によるＬＥＤアダプタの遠位端の部分側面図である。
【図５】図５は、単一のＬＥＤを有する本開示のＬＥＤアダプタの別の実施形態の斜視図である。
【図６】図６は、色を発する少なくとも１つのＬＥＤを有する、本開示のＬＥＤアダプタのなお別の実施形態の斜視図である。
【図７】図７は、断続的なパターンを発する少なくとも１つのＬＥＤを有する、本開示のＬＥＤアダプタのなお別のさらなる実施形態の斜視図である。
【図８】図８は、電気外科ペンシル、ＬＥＤアダプタ、およびブレード電極の斜視図である。
【図９】図９は、電気外科ペンシル、ＬＥＤアダプタ、および針電極の斜視図である。
【図１０】図１０は、電気外科ペンシル、ＬＥＤアダプタ、およびボール電極の斜視図である。
【図１１】図１１は、電気外科ペンシル、ＬＥＤアダプタ、および角度の付いたボール電極の斜視図である。
【図１２】図１２は、電気外科ペンシル、ＬＥＤアダプタ、およびループ電極の斜視図である。
【図１３】図１３は、電気外科ペンシル、ＬＥＤアダプタ、および円錐切除電極の斜視図である。
【符号の説明】
【００６４】
１０  電気外科システム
１００  電気外科ペンシル
１０２  細長ハウジング
１０２ａ  上半シェル部分
１０２ｂ  下半シェル部分
１０３ａ、１０３ｂ  開口部
１０６  電気焼灼ブレード
１２０ａ、１２０ｂ、１２０ｃ  スイッチ
１２９ａ、１２９ｂ  ナブ
１３０ａ、１３０ｂ  
１５０  フットスイッチ
２００  プラグ
２２４  ケーブル
３００’  結合インターフェース
３１０  カラー
４００  ＬＥＤアダプタ
４０２  ハウジング
４１２ａ、４１２ｂ  ＬＥＤ
【図１】
2009050705.tif 000003
【図２】
2009050705.tif 000004
【図３】
2009050705.tif 000005
【図４】
2009050705.tif 000006
【図５】
2009050705.tif 000007
【図６】
2009050705.tif 000008
【図７】
2009050705.tif 000009
【図８】
2009050705.tif 000010
【図９】
2009050705.tif 000011
【図１０】
2009050705.tif 000012
【図１１】
2009050705.tif 000013
【図１２】
2009050705.tif 000014
【図１３】
2009050705.tif 000015